(57)【要約】【課題】人工光源からの光を照射して作物の育成を調節する作物育成システムにおいて、花芽分化に大きな影響を与えることなく作物の成長を促進し、しかも作物の視認性を良くする。【解決手段】作物育成システム１０は、第１の光源１、第２の光源２及び第３の光源３と、これら光源１、２、３を照射動作させる時間帯を設定する時間設定部５と、を備える。第１の光源１は、波長域３８０ｎｍ以上６１０ｎｍ未満にピーク波長を有する光を照射し、第２の光源２及び第３の光源３は、それぞれ赤色光及び遠赤色光を照射する。時間設定部５は、第１の光源１及び第２の光源２からの光が日没前から日没後２時間まで作物Ｐに照射され、その後、第３の光源３からの光が作物Ｐに照射されるように設定されている。これにより、作物Ｐの花芽分化に大きな影響を与えることなく作物Ｐの成長を促進でき、また、作物Ｐに第１の光源１からの光が照射されるので、作物Ｐの視認性を良くできる。【選択図】図１
2015092861.tif 000002
【特許請求の範囲】
【請求項１】
波長域３８０ｎｍ以上６１０ｎｍ未満にピーク波長を有する光を作物に対して照射する第１の光源と、
波長域６１０ｎｍ以上６８０ｎｍ以下にピーク波長を有する赤色光を作物に対して照射する第２の光源と、
波長域６８５ｎｍ以上７８０ｎｍ以下にピーク波長を有する遠赤色光を作物に対して照射する第３の光源と、
前記第１の光源、第２の光源及び第３の光源の照射動作を制御する制御部と、
前記制御部に対して前記第１の光源、第２の光源及び第３の光源を照射動作させる時間帯を設定する時間設定部と、を備え、
前記時間設定部は、前記第１の光源及び第２の光源が日没前から日没後２時間までの時間帯に照射動作し、前記第３の光源が前記第１の光源及び第２の光源の照射動作終了後の時間帯に照射動作するように設定されていることを特徴とする作物育成システム。
【請求項２】
前記時間設定部は、前記第１の光源及び第２の光源が照射動作を終了すると共に、前記第３の光源が照射動作を開始するように設定されていることを特徴とする請求項１に記載の作物育成システム。
【請求項３】
前記第１の光源、第２の光源及び第３の光源は、１つの筐体内に収容されていることを特徴とする請求項１又は請求項２に記載の作物育成システム。
【請求項４】
前記第３の光源は、放射照度が０．０２Ｗ／ｍ２以上で且つ積算放射照度が０．２ｋＪ／ｍ２以上となるように遠赤色光を照射することを特徴とする請求項１乃至請求項３のいずれか一項に記載の作物育成システム。
【発明の詳細な説明】
【技術分野】
【０００１】
本発明は、作物（植物）の育成を調節する作物育成システムに関する。
【背景技術】
【０００２】
従来から植物に対して人工光源からの光を照射することで、植物の育成を調節する方法が知られている。例えば、植物に対して赤色光及び遠赤色光の混合光を、植物の光周期における明期の開始期及び終了期のいずれか一方又は両方に照射することで、植物に短日処理を施す方法が知られている（例えば、特許文献１参照）。
【０００３】
また、ナス科植物（特に、トマト）に対して赤色光及び遠赤色光の少なくとも一方を日没後に１〜３時間照射することで、植物の果実糖度を高める方法が知られている（例えば、特許文献２参照）。
【先行技術文献】
【特許文献】
【０００４】
【特許文献１】特開２００９−１３６１５５号公報
【特許文献２】特開２００７−２８２５４４号公報
【発明の概要】
【発明が解決しようとする課題】
【０００５】
しかしながら、上記特許文献１に記載された方法は、植物の開花時期を早めるものであって、必ずしも植物の成長を促進するものではない。また、この方法では、植物の花芽分化について何ら言及されておらず、更に、作業者が植物を視認し難いので作業効率が低下する虞がある。
【０００６】
また、上記特許文献２に記載された方法は、植物の果実糖度を高めるものであって必ずしも植物の成長を促進するものではなく、しかもナス科植物に限定された方法であるので、他の植物に応用できない可能性がある。また、この方法でも、植物の花芽分化について何ら言及されておらず、更に、作業者が植物を視認し難いので作業効率が低下する虞がある。
【０００７】
本発明は、上記課題を解決するものであって、花芽分化に大きな影響を与えることなく植物（作物）の成長を効率良く促進することができ、しかも作物の視認性を良くして作業効率を高めることができる作物育成システムを提供することを目的とする。
【課題を解決するための手段】
【０００８】
本発明の作物育成システムは、波長域３８０ｎｍ以上６１０ｎｍ未満にピーク波長を有する光を作物に対して照射する第１の光源と、波長域６１０ｎｍ以上６８０ｎｍ以下にピーク波長を有する赤色光を作物に対して照射する第２の光源と、波長域６８５ｎｍ以上７８０ｎｍ以下にピーク波長を有する遠赤色光を作物に対して照射する第３の光源と、前記第１の光源、第２の光源及び第３の光源の照射動作を制御する制御部と、前記制御部に対して前記第１の光源、第２の光源及び第３の光源を照射動作させる時間帯を設定する時間設定部と、を備え、前記時間設定部は、前記第１の光源及び第２の光源が日没前から日没後２時間までの時間帯に照射動作し、前記第３の光源が前記第１の光源及び第２の光源の照射動作終了後の時間帯に照射動作するように設定されていることを特徴とする。
【０００９】
前記時間設定部は、前記第１の光源及び第２の光源が照射動作を終了すると共に、前記第３の光源が照射動作を開始するように設定されていることが好ましい。
【００１０】
前記第１の光源、第２の光源及び第３の光源は、１つの筐体内に収容されていることが好ましい。
【００１１】
前記第３の光源は、放射照度が０．０２Ｗ／ｍ２以上で且つ積算放射照度が０．２ｋＪ／ｍ２以上となるように遠赤色光を照射することが好ましい。
【発明の効果】
【００１２】
本発明によれば、波長域３８０ｎｍ以上６１０ｎｍ未満にピーク波長を有する光及び赤色光が、日没前から日没後２時間までの時間帯に作物に対して照射され、その後、遠赤色光が作物に対して照射される。そのため、作物の花芽分化に大きな影響を与えることなく、作物の成長を効率良く促進することができる。また、作物に対して波長域３８０ｎｍ以上６１０ｎｍ未満にピーク波長を有する光が照射されるので、作物に対して赤色光及び／又は遠赤色光しか照射されない場合に比べて、作物の視認性を良くして作業効率を高めることができる。
【図面の簡単な説明】
【００１３】
【図１】本発明の実施形態に係る作物育成システムの構成を示す図。
【図２】上記作物育成システムで用いられる第１の光源、第２の光源及び第３の光源の各々から照射される光の分光特性例を示す図。
【図３】上記第１の光源、第２の光源及び第３の光源を一つの筐体内に収容したときの様子を示す斜視図。
【図４】上記第１の光源、第２の光源及び第３の光源の作物に対する配置を示す側面図。
【図５】上記第１の光源、第２の光源及び第３の光源の作物に対する配置を示す平面図。
【図６】実施例による上記第１の光源、第２の光源及び第３の光源の光照射パターンを示す図。
【発明を実施するための形態】
【００１４】
本発明の実施形態に係る作物育成システムについて図１乃至図６を参照して説明する。本作物育成システムは、完全閉鎖型の植物苗生産システム、農業用のビニルハウス若しくはガラスハウス等の施設栽培又は露地栽培等において、作物（特に花き）の成長を促進するものである。
【００１５】
図１に示すように、作物育成システム１０は、第１の光源１、第２の光源２及び第３の光源３と、これら光源１、２、３の照射動作を制御する制御部４と、制御部４に対して光源１、２、３を照射動作させる時間帯を設定する時間設定部５と、を備える。光源１、２、３及び時間設定部５は、それぞれ配電線６により制御部４と電気的に接続されている。光源１、２、３は、まとめて筐体（不図示、後述する図３参照）に収容され、畝Ｆに植えられた作物Ｐに対して光を照射する。
【００１６】
図２に示すように、第１の光源１から照射される光（実線及び一点鎖線で示す）は、波長域３８０ｎｍ以上６１０ｎｍ未満にピーク波長を有する光とされる。第１の光源１を昼光色ＬＥＤにより構成した場合には、第１の光源１から照射される光（実線で示す）は、例えば、略４５５ｎｍにピーク波長を有する青色光と、略５８０ｎｍにピーク波長を有する緑〜黄〜赤色光と、を含む昼光色白色光となる。また、第１の光源１を電球色ＬＥＤにより構成した場合には、第１の光源１から照射される光（一点鎖線で示す）は、例えば、略４６０ｎｍにピーク波長を有する青色光と、略６００ｎｍにピーク波長を有する緑〜黄〜赤色光と、を含む電球色白色光となる。なお、第１の光源１は、昼光色ＬＥＤや電球色ＬＥＤに限定されず、例えば、ＨＩＤランプ（高圧ナトリウムランプ、キセノンランプ等）、白色蛍光灯又は白熱灯に、波長６１０ｎｍ以上の光をカットするカットフィルタを組み合わせたものにより構成されてもよい。
【００１７】
第２の光源２から照射される光は、波長域６１０ｎｍ以上６８０ｎｍ以下にピーク波長を有する赤色光とされる。第２の光源２を赤色ＬＥＤにより構成した場合には、第２の光源２から照射される光（点線で示す）は、例えば、略６４０ｎｍにピーク波長を有する光となる。なお、第２の光源２は、赤色ＬＥＤに限定されず、例えば、ＨＩＤランプ、白色蛍光灯又は白熱灯に、波長域６１０ｎｍ以上６８０ｎｍ以下の光を透過する透過フィルタを組み合わせたものにより構成されてもよい。また、第２の光源２は、波長域６１０ｎｍ以上６８０ｎｍ以下の光を発する蛍光体と、該蛍光体を励起する光を出射する光源と、を適宜に組み合わせたものにより構成されてもよい。
【００１８】
第３の光源３から照射される光（破線及び二点鎖線で示す）は、波長域６８５ｎｍ以上７８０ｎｍ以下にピーク波長を有する遠赤色光とされる。第３の光源３を遠赤色ＬＥＤにより構成した場合には、第３の光源３から照射される光（破線で示す）は、例えば、略７３５ｎｍにピーク波長を有する光となる。また、第３の光源３を遠赤色蛍光灯により構成した場合には、第３の光源３から照射される光（二点鎖線で示す）は、例えば、略７４０ｎｍにピーク波長を有する光となる。なお、第３の光源３は、遠赤色ＬＥＤや遠赤色蛍光灯に限定されず、例えば、遠赤色ＥＬ素子や、ＨＩＤランプや白熱灯に波長６８５ｎｍ以上の光を透過する透過フィルタを組み合わせたものにより構成されてもよい。
【００１９】
第１の光源１は、放射照度が０．０１Ｗ／ｍ２以上となるように光を照射することが好ましい。また、第２の光源２は、放射照度が０．００５Ｗ／ｍ２以上となるように光を照射することが好ましい。更に、第３の光源３は、放射照度が０．０２Ｗ／ｍ２以上で、且つ積算放射照度が０．２ｋＪ／ｍ２以上となるように光を照射することが好ましい。放射照度は、Leica製のライトメータ「Li-250」及びセンサ「Li-200SA」を用いて測定される。
【００２０】
図１に戻って、制御部４は、マイコン、リレー及びスイッチ等により構成され、第１の光源１、第２の光源２及び第３の光源３の各々から照射される光の放射照度を調整する調光装置を有する。調光装置は、例えば、ライトコントローラにより構成され、放射照度を電気的に制御する。
【００２１】
時間設定部５は、タイマやマイコン等により構成され、ユーザによって予め設定された時間に第１の光源１、第２の光源２及び第３の光源３を照射動作させる。時間設定部５は、第１の光源１及び第２の光源２が日没前から日没後２時間までの時間帯に照射動作し、第３の光源３が第１の光源１及び第２の光源２の照射動作終了後の時間帯に３時間以上照射動作するように設定されている。時間設定部５は、後述する実施例では、第１の光源１及び第２の光源２が照射動作を終了すると共に、第３の光源３が照射動作を開始するように設定されている。しかしながら、第１の光源１及び第２の光源２からの光照射と第３の光源３からの光照射との間に、３０分程度までのブランクがあってもよい。
【００２２】
時間設定部５は、太陽光（自然光）の強度を感知する光センサを有し、この光センサによって作物Ｐ周囲の明るさを感知することで第１の光源１及び第２の光源２の照射動作タイミングを決定してもよい。また、時間設定部５は、１年の日没時刻を予め記憶したソーラタイムスイッチを有し、このソーラタイムスイッチに記憶された日没時刻を基に第１の光源１及び第２の光源２の照射動作タイミングを決定してもよい。更に、時間設定部５は、図例では制御部４と別体とされているが、制御部４と一体に構成されていてもよい。
【００２３】
図３に示すように、第１の光源１、第２の光源２及び第３の光源３は、交互に並べられた状態で１つの筐体７内に収容されている。筐体７は、熱伝導率が高くて放熱性に優れると共に高い光反射性を有する材料、例えば、アルミニウムやステンレス等の金属により構成されている。
【００２４】
第１の光源１、第２の光源２及び第３の光源３は、通常、作物Ｐの上方に配置される。しかしながら、作物Ｐの背が高い場合や枝葉が多い場合には、作物Ｐの上方に配置された光源１、２、３だけでは作物Ｐの下方や内部にまで十分量の光を照射することができないことがある。そこで、図４に示すように、作物Ｐの上方に配置した光源１、２、３（以下、上方光源１ａ、２ａ、３ａという）に加え、作物Ｐの側方や下方にも光源１、２、３を配置してもよい。側方に配置された光源１、２、３（以下、側方光源１ｂ、２ｂ、３ｂという）及び下方に配置された光源１、２、３（以下、下方光源１ｃ、２ｃ、３ｃという）は、作物Ｐに対して任意の角度で光を照射できるように各々の取付角度が調整可能に構成されている。このように光源１、２、３を配置することで、作物Ｐの背が高くて枝葉が多い場合であっても、光源１、２、３からの光を作物Ｐの全体及び内部にまで十分量照射することができる。
【００２５】
図５は、上方から見たときの作物Ｐに対する上方光源１ａ、２ａ、３ａ、側方光源１ｂ、２ｂ、３ｂ及び下方光源１ｃ、２ｃ、３ｃの配置を示す。なお、図例では、上方光源１ａ、２ａ、３ａ、側方光源１ｂ、２ｂ、３ｂ及び下方光源１ｃ、２ｃ、３ｃを、それぞれ一つの部材として示している。上方光源１ａ、２ａ、３ａは、畝Ｆが伸びる方向（作物Ｐが連なる方向）に沿って互いに一定間隔を置いて複数配置されている。側方光源１ｂ、２ｂ、３ｂは、シリンダ等で覆われることで防水加工が施され、畝Ｆが伸びる方向に沿って互いに一定間隔を置いて畝Ｆの間に複数配置されている。下方光源１ｃ、２ｃ、３ｃは、側方光源１ｂ、２ｂ、３ｂと同様に防水加工が施され、畝Ｆが伸びる方向に沿って互いに一定間隔を置いて畝Ｆの間の地面に複数配置されている。なお、側方光源１ｂ、２ｂ、３ｂ及び下方光源１ｃ、２ｃ、３ｃは、ホローライトガイド方式の照明器具、光ファイバ又は細長い形状に成形されたＥＬ器具等の連続光源により構成されてもよい。
【００２６】
上方光源１ａ、２ａ、３ａ、側方光源１ｂ、２ｂ、３ｂ及び下方光源１ｃ、２ｃ、３ｃの点灯及び配光は、作物Ｐの生育に応じて調整される。例えば、作物Ｐが初期の生育ステージにあってまだ小さい場合には、作物Ｐから離れた上方光源１ａ、２ａ、３ａは消灯され、作物Ｐに近い側方光源１ｂ、２ｂ、３ｂ及び下方光源１ｃ、２ｃ、３ｃは点灯される。このとき、側方光源１ｂ、２ｂ、３ｂ及び下方光源１ｃ、２ｃ、３ｃは、作物Ｐに対して集中的に光を照射できるように、各々の取付角度が調整されて配光が狭く設定される。また、初期の生育ステージでは作物Ｐの枝葉が十分に発達していないので、作物Ｐに対して照射する光は、光量が低くても作物Ｐ全体に行き渡り得る。そのため、側方光源１ｂ、２ｂ、３ｂ及び下方光源１ｃ、２ｃ、３ｃは、低い光量で光を照射するように調整されてもよい。
【００２７】
一方、作物Ｐが大きく成長した場合には、上方光源１ａ、２ａ、３ａ、側方光源１ｂ、２ｂ、３ｂ及び下方光源１ｃ、２ｃ、３ｃのすべてが点灯される。このとき、側方光源１ｂ、２ｂ、３ｂ及び下方光源１ｃ、２ｃ、３ｃは、作物Ｐの広い範囲に光を照射できるように、各々の取付角度が調整されて配光が広く設定される。また、大きく成長した作物Ｐは背が高くなって多くの枝葉を持ち得るため、作物Ｐに対して照射される光は、高い光量でないと作物Ｐの隅々まで行き渡らない。そのため、上方光源１ａ、２ａ、３ａ、側方光源１ｂ、２ｂ、３ｂ及び下方光源１ｃ、２ｃ、３ｃは、高い光量で光を照射することが好ましい。
【００２８】
上記のように構成された作物育成システム１０が作物Ｐの生育に与える効果を、作物Ｐとしてキク（品種：セイプリンス）を用い、このキクを実際に作物育成システム１０により栽培することで検証した。キクに対する成長促進効果は、約９割のキクの茎丈が８０ｃｍ以上となるのに要した平均日数を算出することで評価した。また、平均出蕾数への影響は、約９割のキクの茎丈が８０ｃｍ以上となった時点でのキク一株当たりの蕾数を数えることで評価した。更に、花芽分化への影響は、作物育成システム１０を用いずに自然光のみでキクを栽培した場合（後述する比較例１）と比較して、花芽分化を「遅れない」、「少し（１日以内）遅れる」及び「２日以上遅れる」の３つに分類することで評価した。なお、後述する表１では、花芽分化が「遅れない」、「少し遅れる」及び「２日以上遅れる」を、それぞれ「◎」、「○」及び「△」で示している。
【００２９】
（実施例）
キクは、１２月末に定植され、翌年の４月まで略４ヶ月間栽培された。定植後すぐに、キクの栄養生長を維持するために白熱灯点灯による深夜４時間の暗期中断を開始した。この暗期中断は、キクの草丈が２０ｃｍ以上となった定植開始略４５日後の２月中頃まで継続された。その後、キクを生殖生長に移行させると同時に、作物育成システム１０によるキクへの光照射を開始した。作物育成システム１０による光照射は、キクが開花するまで継続された。
【００３０】
図６に示すように、本実施例では、第１の光源１からの白色光及び第２の光源２からの赤色光が、日没（１９時）前の１８時から２１時までの３時間照射された。すなわち、第１の光源１からの白色光及び第２の光源２からの赤色光は、太陽光と共に１時間照射され、日没後、太陽光無しで２時間照射された。一方、第３の光源３からの遠赤色光は、第１の光源１及び第２の光源２と切り替わるようにして、２１時から２時までの５時間照射された。
【００３１】
第１の光源１からの白色光及び第２の光源２からの赤色光は、それぞれ０．０１Ｗ／ｍ２及び０．００５Ｗ／ｍ２の放射照度で照射され、第３の光源３からの遠赤色光は、０．０２Ｗ／ｍ２の放射照度で照射された。第１の光源１は、上述した昼光色ＬＥＤ（図２参照）により構成され、２０個／ｍ２の密度でキク（作物Ｐ）の上方に配置された。第２の光源２は、上述した赤色ＬＥＤ（図２参照）により構成され、１０個／ｍ２の密度でキクの上方に配置された。第３の光源３は、上述した遠赤色ＬＥＤ（図２参照）により構成され、２０個／ｍ２の密度でキクの上方に配置された。
【００３２】
表１に示すように、本実施例によるキクでは、茎丈８０ｃｍとなるのに平均７９日しか要さなかった。また、キク１輪当たりの平均出蕾数は９．４と多く、花芽分化は少し（１日以内）遅れただけであった。
【表１】
2015092861.tif 000003
【００３３】
これに対して、比較例１では、作物育成システム１０を用いずに自然光のみでキクが育成された。この比較例１によるキクでは、茎丈８０ｃｍとなるのに平均１０７日も要し、また、平均出蕾数は８．１しかなかった。この結果と上述した本実施例の結果との比較より、作物育成システム１０が、キクの花芽分化に大きな影響を与えることなくキクの成長を効率良く促進すると共に、キク１輪当たりの平均出蕾数を増加させることが分かった。
【００３４】
また、比較例２では、第１の光源１からの白色光と第２の光源２からの赤色光が、それぞれ０．０１Ｗ／ｍ２及び０．００５Ｗ／ｍ２の放射照度で１８時から２１時までの３時間キクに対して照射され、第３の光源３からの遠赤色光は照射されなかった。この比較例２によるキクでは、茎丈８０ｃｍとなるのに平均１０５日も要し、平均出蕾数は７．９しかなく、花芽分化が２日以上遅れた。この結果より、第３の光源３からの遠赤色光照射が、キクの成長促進及び出蕾数増加に重要であることが分かった。
【００３５】
また、比較例３では、第１の光源１からの白色光が０．０１５Ｗ／ｍ２の放射照度で１８時から２１時までの３時間キクに対して照射された後、第３の光源３からの遠赤色光が０．０２Ｗ／ｍ２の放射照度で２１時から２時までの５時間キクに対して照射された。比較例３では、第２の光源２からの赤色光は、キクに対して照射されなかった。この比較例３によるキクでは、茎丈８０ｃｍとなるのに平均８２日を要し、平均出蕾数は８．９しかなく、花芽分化が少し遅れた。
【００３６】
一方、比較例４では、第２の光源２からの赤色光が０．０１５Ｗ／ｍ２の放射照度で１８時から２１時までの３時間キクに対して照射された後、第３の光源３からの遠赤色光が０．０２Ｗ／ｍ２の放射照度で２１時から２時までの５時間キクに対して照射された。比較例４では、第１の光源１からの白色光は、キクに対して照射されなかった。この比較例４によるキクでは、茎丈８０ｃｍとなるのに平均８１日を要し、平均出蕾数は８．７しかなく、花芽分化が少し遅れた。
【００３７】
上述したように、比較例３、４では、第１の光源１からの白色光又は第２の光源２からの赤色光の放射照度が０．０１５Ｗ／ｍ２となるように光が照射された。一方、本実施例では、第１の光源１からの白色光と第２の光源２からの赤色光との「合計」放射照度が０．０１５Ｗ／ｍ２となるように光が照射された。その結果、本実施例では、キクの顕著な成長促進及び出蕾数増加が観察されたのに対し、比較例３、４では、本実施例ほどの効果は観察されなかった。このように同放射照度で光を放射した場合でも、第１の光源１からの白色光又は第２の光源２からの赤色光を単独で照射するよりも、これら白色光及び赤色光を同時に照射した方が、より高い効果をキクに与えることができる。従って、第１の光源１からの白色光と第２の光源２からの赤色光は、相乗的に作用してキクの成長を促進しているものと考えられる。
【００３８】
作物育成システム１０によれば、波長域３８０ｎｍ以上６１０ｎｍ未満にピーク波長を有する光及び赤色光が日没前から日没後２時間までの時間帯に作物Ｐに対して照射され、次いで、遠赤色光が作物Ｐに対して照射される。そのため、作物Ｐ（キク）の花芽分化に大きな影響を与えることなく、キクの成長を効率良く促進し、且つキクの平均出蕾数を増加させることができる。これにより、キクの栽培サイクルを短縮して一定期間内におけるキクの収量を増加させることができると共に、キクの商品価値を高めることができる。また、波長域３８０ｎｍ以上６１０ｎｍ未満にピーク波長を有する光が照射されるので、赤色光及び／又は遠赤色光しか照射されない場合に比べて、作物Ｐの視認性を良くして作業効率を向上でき、更に、作物Ｐの光合成を促進して作物Ｐの形態を良くできる。
【００３９】
作物育成システム１０は、通年に亘って利用可能であるが、特に、自然光（太陽光）が減少する秋から春先にかけての短日期に有効に用いることができる。また、作物育成システム１０を太陽光が照射されない完全閉鎖型の植物生産工場等に設置した場合には、第１の光源１、第２の光源２及び第３の光源３は、例えば、作物Ｐの育成に用いられる人工光源の明期／暗期スケジュールに基づいてオン／オフ制御される。
【００４０】
なお、本発明に係る作物育成システムは、上記実施形態及び実施例に限定されず、種々の変形が可能である。例えば、第１の光源及び第３の光源は、１種類の光源から照射される光の波長を制御することで実現されてもよい。これは、例えば、光源としてあらゆる波長の可視光を出射する白熱灯を用い、この白熱灯に波長６１０ｎｍ以上の光をカットするカットフィルタ又は波長６８５ｎｍ以上の光を透過する透過フィルタを適宜に組み合わせることで成される。
【符号の説明】
【００４１】
１０  作物育成システム
１  第１の光源
２  第２の光源
３  第３の光源
４  制御部
５  時間設定部
７  筐体
Ｐ  作物
【図１】
2015092861.tif 000004
【図２】
2015092861.tif 000005
【図３】
2015092861.tif 000006
【図４】
2015092861.tif 000007
【図５】
2015092861.tif 000008
【図６】
2015092861.tif 000009